(57)【要約】【課題】美観や触感・風合いの点でも“商品”として満足し得る襟カバー付き上掛け寝具を提供する。【解決手段】襟カバー１３を上掛け寝具１１の上縁部１２の表裏を覆うようにＵ字状に折り曲げて取り付ける。上掛け寝具の上縁１４に平行に経編テープ１６を取り付ける。経編テープには、ベース編地から浮き経糸２０のシンカーループ１９が長く浮き出た経編布帛を用いる。Ｕ字状に折り曲げられて向き合う襟カバーの端縁２１・２１に沿って雄型面ファスナー２３を取り付ける。襟カバー１３と上掛け寝具１１の間は、雄型面ファスナー２３と経編テープ１６を介して着脱自在にする。経編テープは、単糸繊度１１ｄｔｅｘ以下の繊維に成るマルチフィラメント糸によって編成する。雄型面ファスナー２３の雄型フック２２には単糸繊度１１０ｄｔｅｘ以上のモノフィラメント糸を用いる。【選択図】図１
2006051236.tif 000002
【特許請求の範囲】
【請求項１】
（ａ）  襟元である上縁部（１２）の表裏を覆うＵ字状に折り曲げられた襟カバー（１３）の取り付けられている上掛け寝具（１１）であり、
（ｂ）  その上縁（１４）から裾側（１５）へと離れた位置に、上掛け寝具（１１）の全幅にわたって上縁（１４）に平行に続く経編テープ（１６）が、そのシンカーループの現れるシンカーループ面を表側に向けて取り付けられており、
（ｃ）  その経編テープ（１６）が、ベース編地を構成する地経糸（１７）と、その地経糸のシンカーループ（１８）よりもベース編地のシンカーループ面に長く浮き出たシンカーループ（１９）を構成する浮き経糸（２０）とによって構成されており、
（ｄ）  その地経糸（１７）と浮き経糸（２０）が、単糸繊度１１ｄｔｅｘ以下の繊維に成るマルチフィラメント糸によって構成されており、
（ｅ）  上掛け寝具（１１）の上縁部（１２）の表裏を覆う襟カバー（１３）のＵ字状に折り曲げられて向き合う端縁（２１）に、単糸繊度１１０ｄｔｅｘ以上のモノフィラメント糸に成るパイル状雄型フック（２２）の突出している雄型面ファスナー（２３）が、襟カバー（１３）の全幅にわたって取り付けられており、
（ｆ）  その雄型フック（２２）と浮き経糸（２０）に成るシンカーループ（１９）が係合しており、
（ｇ）  その雄型面ファスナー（２３）と経編テープ（１６）を介して襟カバー（１３）が着脱自在に取り付けられている襟カバー付き上掛け寝具。
【請求項２】
前掲請求項１に記載の雄型面ファスナー（２３）が、襟カバー（１３）の全幅にわたって途切れ途切れに取り付けられている前掲請求項１に記載の襟カバー付き上掛け寝具。
【請求項３】
前掲請求項１に記載の上掛け寝具（１１）が、パイルによって表裏両面が被覆された両面パイル毛布であり、その両面パイル毛布の周縁が、Ｕ字状に折り曲げられた繊維製縁取りテープ（２４）によって被覆されて縁取られており、襟カバー（１３）が、パイルによって表面が被覆されているパイル布帛に成る前掲請求項１と請求項２の何れかに記載の襟カバー付き上掛け寝具。
【発明の詳細な説明】
【技術分野】
【０００１】
本発明は、毛布、タオルケット、掛け布団等の上掛け寝具に関するものである。
【背景技術】
【０００２】
Ｕ字状に折り曲げた襟カバーを、上掛け寝具の上縁に被せ、面ファスナー、むし植込ファスナー、ボタン、ホック、鳩目等の係止部材を介して着脱自在に取り付けた襟カバー付き上掛け寝具は公知である（例えば、特許文献１、２、３、４、５参照）。
【特許文献１】特開２００４−１２１７９６号公報
【特許文献２】特開２００３−０３３２６３号公報
【特許文献３】特開平０８−１０３３５７号公報
【特許文献４】実用新案登録第３０９６９９６号公報
【特許文献５】実用新案登録第３０６８２７５号公報
【発明の開示】
【発明が解決しようとする課題】
【０００３】
毛布、タオルケット、掛け布団等の上掛け寝具（以下、単に“上掛け寝具”と言う。）や襟カバーは、肌触りのよい繊度１１ｄｔｅｘ以下の繊維によって構成されている。それに対して、むし植込ファスナー、ボタン、ホック、鳩目等は、非繊維製の硬質部材であり、又、面ファスナーは、一種の繊維製品ではあるが、１１０ｄｔｅｘ以上（２２０〜５５０ｄｔｅｘ）のモノフィラメント糸によってフックが構成されているので、上掛け寝具や襟カバーの表面素材に比して比較にならない程硬い。このため、上掛け寝具や襟カバーに取り付けられたボタン、ホック、鳩目等の係止部材は、外観の点でも、感触の点でも違和感を与え、特に、面ファスナーのフックは、繊度が１１０ｄｔｅｘ以上の剛直なモノフィラメント糸で構成されているので、それに触れて刺痛感を与え、幼児にとっては肌身を傷つける危険がある。そして、面ファスナーは、１１０ｄｔｅｘ以上のモノフィラメント糸が使用されているので全体が剛直で撓み難く、それによって柔軟可撓な寝具としての上掛け寝具や襟カバーの風合いが大きく損なわれる。又、ボタン、ホック、鳩目等は装飾性が全くない機能性部材であり、上掛け寝具や襟カバーに取り付けられたボタン、ホック、鳩目等は目障りなものとなり、上掛け寝具や襟カバーの美観が大きく損なわれる。このように、従来の襟カバー付き上掛け寝具は、襟カバーによって襟元での防汚性や保温性等の機能性は付与されるものの、美観や触感・風合いの点で“商品”としては一般市場には提供し難いものとなっている。
【０００４】
そこで本発明は、美観や触感・風合いの点でも“商品”として満足し得る襟カバー付き上掛け寝具を提供することを目的とする。
【課題を解決するための手段】
【０００５】
本発明に係る襟カバー付き上掛け寝具は、（ａ）  襟元である上縁部１２の表裏を覆うＵ字状に折り曲げられた襟カバー１３が取り付けられており、（ｂ）  その上縁１４から裾側１５へと離れた位置に、上掛け寝具１１の全幅にわたって上縁１４に平行に続く経編テープ１６が、そのシンカーループの現れるシンカーループ面を表側に向けて取り付けられており、（ｃ）  その経編テープ１６が、ベース編地を構成する地経糸１７と、その地経糸のシンカーループ１８よりもベース編地のシンカーループ面に長く浮き出たシンカーループ１９を構成する浮き経糸２０とによって構成されており、（ｄ）  その地経糸１７と浮き経糸２０が、単糸繊度１１ｄｔｅｘ以下の繊維に成るマルチフィラメント糸によって構成されており、（ｅ）  上掛け寝具１１の上縁部１２の表裏を覆う襟カバー１３のＵ字状に折り曲げられて向き合う端縁２１に、単糸繊度１１０ｄｔｅｘ以上のモノフィラメント糸に成るパイル状雄型フック２２の突出している雄型面ファスナー２３が、襟カバー１３の全幅にわたって取り付けられており、（ｆ）  その雄型フック２２と浮き経糸２０に成るシンカーループ１９が係合しており、（ｇ）  その雄型面ファスナー２３と経編テープ１６を介して襟カバー１３が着脱自在に取り付けられていることを第１の特徴とする。
【０００６】
本発明に係る襟カバー付き上掛け寝具の第２の特徴は、上記第１の特徴に加えて、雄型面ファスナー２３が、襟カバー１３の全幅にわたって途切れ途切れに取り付けられている点にある。
【０００７】
本発明に係る襟カバー付き上掛け寝具の第３の特徴は、上記第１と第２の何れかの特徴に加えて、上掛け寝具１１が、パイルによって表裏両面が被覆された両面パイル毛布であり、その両面パイル毛布の周縁が、Ｕ字状に折り曲げられた繊維製縁取りテープ２４によって被覆されて縁取られており、襟カバー１３が、パイルによって表面が被覆されているパイル布帛に成る点にある。
【発明の効果】
【０００８】
本発明によると、経編テープ１６から長く浮き出たシンカーループ１９は、雌型面ファスナーの雌型フックの輪奈に近似した弓形形状を成すので雄型フック２２に絡み付き易く、その経編テープ１６と雄型面ファスナー２３を介して上掛け寝具１１に着脱自在に襟カバー１３を取り付けることが出来る。その経編テープ１６は、雌型面ファスナーとは異なり、上掛け寝具１１と同様に単糸繊度が１１ｄｔｅｘ以下の繊維に成るので、上掛け寝具１１の感触・風合いを損なうことなく、上掛け寝具１１に縫合し易い。そして、経編テープ１６は、上縁１４から裾側１５へと離れた位置に取り付けられていて直接肌身に触れ難く、又、それが上掛け寝具１１の全幅にわたって上縁１４に平行に取り付けられており、そのシンカーループの現れるシンカーループ面が表側に向けられているので、襟カバー１３を取り外しても、上掛け寝具の上縁１４と経編テープ１６の間の上縁部１２が襟カバー１３の如き観を呈し、襟カバー１３が取り外されているとの印象を与えず、格別違和感を与えない。又、雄型面ファスナー２３が取り外された襟カバー１３に取り付けられているので、襟カバー１３を取り外して上掛け寝具１１だけを使用しても支障を来すことがない。このため、随時襟カバー１３を取り外して洗濯し、絶えずクリーンに保つことが出来る。
【０００９】
そして、本発明によると、雄型面ファスナー２３が、単糸繊度１１０ｄｔｅｘ以上のモノフィラメント糸によって構成されていて剛直であっても、襟カバー１３の端縁２１に沿って連続せず途切れ途切れに取り付けられているので、雄型面ファスナー２３によって襟カバー１３の端縁２１が剛直になることがなく、その経編テープ１６に係合した状態において襟カバー１３が上掛け寝具１１によく馴染み、使用時に上掛け寝具１１に生じる起伏に追随して襟カバー１６が屈曲する。このため、上掛け寝具１１の使用時に、経編テープ１６と雄型面ファスナー２３が剥離し、上掛け寝具１１と襟カバー１３との接合箇所２５に隙間が生じ、襟カバー１３が上掛け寝具１１から外れるようなことは起こらない。
【００１０】
上掛け寝具１１の周縁を繊維製縁取りテープ２４によって縁取ると、その縁取りテープ２４の一部として経編テープ１６を付飾的に取り付けたかの如き観を呈し、上掛け寝具１１に両面パイル毛布を適用すると共に襟カバー１３にパイル布帛を適用すると、上掛け寝具１１と襟カバー１３の間に美観や触感・風合い上の違和感がなく、全体の外観がパイルによって統一されて美しく、商品価値の高い襟カバー付き上掛け寝具が得られる。
【発明を実施するための最良の形態】
【００１１】
雄型面ファスナー２３の取付面の裏側になる襟カバー１３の端縁２１の表面に、縁取りテープ２６を取り付けておくとよい。そうすると、襟カバー１３の幅Ｖが上掛け寝具１１の幅Ｗより狭い場合でも、襟カバー１３の縁取りテープ２６から上掛け寝具１１の経編テープ１６へと続くので、襟カバー１３と上掛け寝具１１の間に違和感がなく、襟カバー１３から上掛け寝具１１が食み出た感じを与えない（図１）。上掛け寝具１１の上縁１４から経編テープ１６までの距離は、２０〜３０ｃｍにするとよい。経編テープ１６と上掛け寝具１１の感触を揃えるためには、経編テープ１６の地経糸１７と浮き経糸２０の総繊度は１００ｄｔｅｘ以下とし、その構成する繊維の単糸繊度は５．５ｄｔｅｘ以下とするとよい。浮き経糸のシンカーループ１９は、地経糸１７の形成する２ウエール以上のニットループ２８・２８を越えて長く浮き出たものとする（図２）。
【００１２】
襟カバー１３の縁取りには、雄型面ファスナー２３よりも幅の広い縁取りテープ２６を使用し、その縁取りテープ２６の端縁２７に沿って雄型面ファスナー２３を縫い付け、その縁取りテープ２６を幅方向にＵ字状に折り曲げて襟カバー１３の端縁２１に被せ、縁取りテープ２６と一緒に雄型面ファスナー２３を襟カバー１３に取り付けるとよい。そうすることによって、縁取りテープ２６と雄型面ファスナー２３を、それらの取付位置が表裏対称形になるように、襟カバーの端縁２１に取り付けることが出来る。
【００１３】
雄型面ファスナー２３は、襟カバー１３の向き合う両端縁２１ａ・２１ｂに取り付けると共に、経編テープ１６を上掛け寝具１１の表裏に取り付け、上掛け寝具１１の表裏において、襟カバー１３を着脱自在に接合する。雄型フック２２は、先端が溶融塊が形成されてキノコ形を成すものでもよく、又、先端がＪ字状に折れ曲がったカギ形を成すものでもよい。襟カバー１３に雄型面ファスナー２３を途切れ途切れに取り付けるためには、襟カバー１３の幅Ｖと同じ長さの連続した長い雄型面ファスナー（２３）を一旦襟カバー１３に取り付け、その後、その取り付けた雄型面ファスナー（２３）を所要の間隔で切断し、途切れ途切れに続く複数個のファスナー片２３ａ，２３ｂ，………としてもよい。又、襟カバー１３に雄型面ファスナー２３を途切れ途切れに取り付ける他の方法として、裁断されたファスナー片２３ａ，２３ｂ，………を間欠的にミシンに供給しつつ縁取りテープ２６に縫合し、縁取りテープ２６と一緒に雄型面ファスナー２３を襟カバー１３に取り付ける。そのように、雄型面ファスナー２３を予め縁取りテープ２６に縫合しておくと、襟カバー１３に取り付け易く、又、途切れ途切れに続くファスナー片２３ａ，２３ｂ，………が襟カバー１３の端縁２１に平行に揃い、襟カバー１３が綺麗に仕上がる。その途切れ途切れに続くファスナー片２３ａとファスナー片２３ｂの間の隙間の長さＧは、１０ｃｍ以下、好ましくは５ｃｍ以下にする。
【００１４】
上掛け寝具１１としての毛布は、カットパイル織物、カットパイル編物、ループパイル織物（タオル）、タフテッドパイル布帛等のパイル布帛、起毛布帛、厚手の平織物の何れでもよい。そのカットパイル編物としては、ダブルラッシェル経編機によって編成され、センターカットにより片面パイル経編地とし、その裏面を起毛して両面パイル経編地とした所謂マイヤー毛布が好適である。襟カバー１３にパイル布帛を使用する場合、冬物のパイルには合成繊維や羊毛繊維を用い、夏物のパイルにはセルロース系繊維、特に、木綿繊維を用いるとよく、タオル地は夏用襟カバーに好適である。縁取りテープ２４・２６にはカットパイル布帛、特に、カットパイル経編布帛を用いるとよい。
【図面の簡単な説明】
【００１５】
【図１】本発明に係る襟カバー付き上掛け寝具の使用状態における要部斜視図であり、一部を円で囲んで拡大して図示している。
【図２】本発明に係る襟カバー付き上掛け寝具の襟カバーと上掛け寝具に分離した状態における斜視図であり、一部を円で囲んで拡大して図示している。
【符号の説明】
【００１６】
１１：上掛け寝具
１２：上縁部
１３：襟カバー
１４：上縁
１５：裾側
１６：経編テープ
１７：地経糸
１８：地経糸のシンカーループ
１９：浮き経糸のシンカーループ
２０：浮き経糸
２１：襟カバーの端縁
２２：雄型フック
２３：雄型面ファスナー
２４：縁取りテープ
２５：上掛け寝具と襟カバーとの接合箇所
２６：縁取りテープ
２７：縁取りテープの端縁
２８：地経糸のニットループ
【図１】
2006051236.tif 000003
【図２】
2006051236.tif 000004